(57)【特許請求の範囲】
【請求項１】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワーク用の所定サーバが、経路切替信号を送信すると共に、タイマを起動する工程と、
前記第２移動局が、前記経路切替信号に基づいて、前記第１移動局宛ての前記音声通信用データ信号の送信宛先を、前記第１無線アクセスネットワークに接続されているゲートウェイ装置から前記所定サーバに切り替える工程と、
前記所定サーバが、前記タイマが満了する前に、前記第１移動局の前記第１無線アクセスネットワークから前記第２無線アクセスネットワークへのハンドオーバの完了を検知しなかった場合に、経路復旧指示信号を送信する工程と、
前記第２移動局が、前記経路復旧指示信号に応じて、前記第１移動局宛ての前記音声通信用データ信号の送信宛先を、前記所定サーバから前記ゲートウェイ装置に切り替える工程とを有することを特徴とする移動通信方法。
【請求項２】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワークに接続されている回線交換機が、回線設定信号を送信すると共に、タイマを起動する工程と、
前記第２無線アクセスネットワーク用の所定サーバが、前記回線設定信号に応じて、経路切替信号を送信する工程と、
前記第２移動局が、前記経路切替信号に基づいて、前記第１移動局宛ての前記音声通信用データ信号の送信宛先を、前記第１無線アクセスネットワークに接続されているゲートウェイ装置から、前記所定サーバに切り替える工程と、
前記回線交換機が、前記タイマが満了する前に、前記第１移動局の前記第１無線アクセスネットワークから前記第２無線アクセスネットワークへのハンドオーバの完了を検知しなかった場合に、タイマ満了信号を送信する工程と、
前記所定サーバが、前記タイマ満了信号に応じて、経路復旧指示信号を送信する工程と、
前記第２移動局が、前記経路復旧指示信号に応じて、前記第１移動局宛ての前記音声通信用データ信号の送信宛先を、前記所定サーバから前記ゲートウェイ装置に切り替える工程とを有することを特徴とする移動通信方法。
【請求項３】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワーク内の制御装置が、ハンドオーバ準備完了信号を送信すると共に、タイマを起動する工程と、
前記第２無線アクセスネットワークに接続されている回線交換機が、前記ハンドオーバ準備完了信号を受信した後、回線設定信号を送信する工程と、
前記第２無線アクセスネットワーク用の所定サーバが、前記回線設定信号に応じて、経路切替信号を送信する工程と、
前記第２移動局が、前記経路切替信号に基づいて、前記第１移動局宛ての前記音声通信用データ信号の送信宛先を、前記第１無線アクセスネットワークに接続されているゲートウェイ装置から、前記所定サーバに切り替える工程と、
前記制御装置が、前記タイマが満了する前に、前記第１移動局の前記第１無線アクセスネットワークから前記第２無線アクセスネットワークへのハンドオーバの完了を検知しなかった場合に、タイマ満了信号を送信する工程と、
前記所定サーバが、前記タイマ満了信号に応じて、経路復旧指示信号を送信する工程と、
前記第２移動局が、前記経路復旧指示信号に応じて、前記第１移動局宛ての前記音声通信用データ信号の送信宛先を、前記所定サーバから前記ゲートウェイ装置に切り替える工程とを有することを特徴とする移動通信方法。
【請求項４】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワーク用の所定サーバが、経路切替信号を送信する工程と、
前記第２移動局が、前記経路切替信号に基づいて、前記第１移動局宛ての前記音声通信用データ信号の送信宛先を、前記第１無線アクセスネットワークに接続されているゲートウェイ装置から前記所定サーバに切り替える工程と、
前記所定サーバが、前記第１移動局の前記第１無線アクセスネットワークから前記第２無線アクセスネットワークへのハンドオーバが中断したことを検知した場合に、経路復旧指示信号を送信する工程と、
前記第２移動局が、前記経路復旧指示信号に応じて、前記第１移動局宛ての前記音声通信用データ信号の送信宛先を、前記所定サーバから前記ゲートウェイ装置に切り替える工程とを有することを特徴とする移動通信方法。
【請求項５】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワーク用の所定サーバが、経路切替信号を送信する工程と、
経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替えると共に、タイマを起動する工程と、
前記経路切替装置が、前記タイマが満了する前に、前記音声通信用データ信号の経路の前記第１無線アクセスネットワークを介した経路から前記第２無線アクセスネットワークを介した経路への切り替えの完了を検知しなかった場合に、前記第２移動局から前記第１移動局宛ての前記音声通信用データ信号の送信宛先を、前記ゲートウェイ装置から前記所定サーバに切り替える工程とを有することを特徴とする移動通信方法。
【請求項６】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワーク用の所定サーバが、経路切替信号を送信すると共に、タイマを起動する工程と、
経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、
前記所定サーバが、前記タイマが満了する前に、前記第１移動局の前記第１無線アクセスネットワークから前記第２無線アクセスネットワークへのハンドオーバの完了を検知しなかった場合に、経路復旧指示信号を送信する工程と、
前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを特徴とする移動通信方法。
【請求項７】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワークに接続されている回線交換機が、回線設定信号を送信すると共に、タイマを起動する工程と、
前記第２無線アクセスネットワーク用の所定サーバが、前記回線設定信号に応じて、経路切替信号を送信する工程と、
経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、
前記回線交換機が、前記タイマが満了する前に、前記第１移動局の前記第１無線アクセスネットワークから前記第２無線アクセスネットワークへのハンドオーバの完了を検知しなかった場合に、タイマ満了信号を送信する工程と、
前記所定サーバが、前記タイマ満了信号に応じて、経路復旧指示信号を送信する工程と、
前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを特徴とする移動通信方法。
【請求項８】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワーク内の制御装置が、ハンドオーバ準備完了信号を送信すると共に、タイマを起動する工程と、
前記第２無線アクセスネットワークに接続されている回線交換機が、前記ハンドオーバ準備完了信号を受信した後、回線設定信号を送信する工程と、
前記第２無線アクセスネットワーク用の所定サーバが、前記回線設定信号に応じて、経路切替信号を送信する工程と、
経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、
前記制御装置が、前記タイマが満了する前に、前記第１移動局の前記第１無線アクセスネットワークから前記第２無線アクセスネットワークへのハンドオーバの完了を検知しなかった場合に、タイマ満了信号を送信する工程と、
前記所定サーバが、前記タイマ満了信号に応じて、経路復旧指示信号を送信する工程と、
前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを特徴とする移動通信方法。
【請求項９】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第２無線アクセスネットワーク用の所定サーバが、経路切替信号を送信する工程と、
経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、
前記所定サーバが、前記第１移動局の前記第１無線アクセスネットワークから前記第２無線アクセスネットワークへのハンドオーバが中断したことを検知した場合に、経路復旧指示信号を送信する工程と、
前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを特徴とする移動通信方法。
【請求項１０】
第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、
前記第１無線アクセスネットワークに接続されている移動管理ノードが、経路切替信号を送信すると共に、タイマを起動する工程と、
前記第１無線アクセスネットワークに接続されているゲートウェイ装置が、前記経路切替信号に基づいて、前記第２移動局から前記第１移動局宛ての前記音声通信用データ信号の送信宛先を、前記第１無線アクセスネットワークから前記所定サーバに切り替える工程と、
前記移動管理ノードが、前記タイマが満了する前に、前記第１移動局の前記第１無線アクセスネットワークから前記第２無線アクセスネットワークへのハンドオーバの完了を検知しなかった場合に、経路復旧指示信号を送信する工程と、
前記ゲートウェイ装置が、前記経路復旧指示信号に応じて、前記第２移動局から前記第１移動局宛ての前記音声通信用データ信号の送信宛先を、前記所定サーバから前記第１無線アクセスネットワークに切り替える工程とを有することを特徴とする移動通信方法。
【発明の詳細な説明】
【技術分野】
【０００１】
本発明は、移動通信方法に関する。
【背景技術】
【０００２】
従来、２Ｇ/３Ｇ方式の無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、或いは、ＧＥＲＡＮ：ＧＳＭ  ＥＤＧＥ  Ｒａｄｉｏ  Ａｃｃｅｓｓ  Ｎｅｔｗｏｒｋ）、及び、ＬＴＥ（Ｌｏｎｇ  Ｔｅｒｍ  Ｅｖｏｌｕｔｉｏｎ）方式の無線アクセスネットワーク（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
３ＧＰＰ  ＴＳ２３.２１６において、ＵＥ（Ｕｓｅｒ  Ｅｑｕｉｐｍｅｎｔ）＃１とＵＥ＃２との間の音声通信用の経路を、Ｅ-ＵＴＲＡＮ或いはＵＴＲＡＮを介した経路（ＶｏＩＰ（Ｖｏｉｃｅ  ｏｖｅｒ  ＩＰ）通信用の経路）からＵＴＲＡＮ/ＧＥＲＡＮを介した経路（回線交換（ＣＳ：Ｃｉｒｃｕｉｔ  Ｓｗｉｔｃｈ）通信用の経路）に切り替える「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）方式」について規定されている（非特許文献１参照）。
【０００４】
また、３ＧＰＰ  ＴＲ２３.８５６  ｖ０.４.１のＡｌｔ.４やＡｌｔ.１０やＡｌｔ.１１やＡｌｔ.１２等において、ＵＥ＃１の在圏ネットワーク内で、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ方式（以下、ＳＲＶＣＣ改善方式と呼ぶ）が規定されている（非特許文献２参照）。
【０００５】
かかるＳＲＶＣＣ改善方式によれば、ＵＥ＃１とＵＥ＃２との間の音声通信用の経路を切り替えるために必要な信号を、ＵＥ＃１の在圏ネットワーク内で終端することができ、従来のＳＲＶＣＣ方式と比べて、かかる信号のＵＥ＃１の在圏ネットワークとＵＥ＃１のホームネットワークとの間の往復に起因する通信瞬断時間を短縮することができる。
【先行技術文献】
【非特許文献】
【０００６】
【非特許文献１】３ＧＰＰ  ＴＳ２３.２１６
【非特許文献２】３ＧＰＰ  ＴＲ２３.８５６  ｖ０.４.１
【発明の概要】
【発明が解決しようとする課題】
【０００７】
しかしながら、図１４に示すように、ＰＳ（Ｐａｃｋｅｔ  Ｓｗｉｔｃｈ、パケット交換）ハンドオーバをサポートするＳＲＶＣＣ方式の手順では、ステップ９において、ＭＳＣ（Ｍｏｂｉｌｅ  Ｓｗｉｔｃｈｉｎｇ  Ｃｅｎｔｅｒ）サーバが、ＩＭＳ（ＩＰ  Ｍｕｌｔｉｍｅｄｉａ  Ｓｕｂｓｙｓｔｅｍ）に対して、「Ｉｎｉｔｉａｌ  ｏｆ  Ｓｅｓｓｉｏｎ  Ｔｒａｎｓｆｅｒ」、すなわち、「ＩＮＶＩＴＥ」を送信すると、図１５に示す手順によって、ＵＥ＃２は、ＵＥ＃１宛ての音声通信用データ信号の送信先をＳ/Ｐ-ＧＷ（Ｓｅｒｖｉｎｇ/Ｐａｃｋｅｔ  Ｄａｔａ  Ｎｅｔｗｏｒｋ  Ｇａｔｅｗａｙ、ゲートウェイ装置）からＣＳ-ＭＧＷに切り替える。
【０００８】
その後、図１４に示すように、ステップＳ１４において、ＵＥ＃１が、Ｅ-ＵＴＲＡＮから送信された「ＨＯ  ｆｒｏｍ  ＥＵＴＲＡＮ  ｃｏｍｍａｎｄ（ハンドオーバ指示信号）」の受信に失敗する場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合、ＵＥ＃１は、Ｅ-ＵＴＲＡＮに在圏したままになるため、ＵＴＲＡＮ/ＧＥＲＡＮを介した経路によって送信されるＵＥ＃２からの音声通信用データを受信することができないという問題点があった。
【０００９】
同様に、図１６に示すように、ＰＳハンドオーバをサポートしないＳＲＶＣＣ方式の手順においても、ステップＳ１５において、ＵＥ＃１が、Ｅ-ＵＴＲＡＮから送信された「ＨＯ  ｆｒｏｍ  ＥＵＴＲＡＮ  ｃｏｍｍａｎｄ」の受信に失敗する場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合、ＵＥ＃１は、Ｅ-ＵＴＲＡＮに在圏したままになるため、ＵＴＲＡＮ/ＧＥＲＡＮを介した経路によって送信されるＵＥ＃２からの音声通信用データを受信することができないという問題点があった。
【００１０】
また、図１７に示すように、ＰＳハンドオーバをサポートするＳＲＶＣＣ改善方式の手順では、ステップ９において、ＭＳＣサーバが、ＡＴＣＦ（Ａｃｃｅｓｓ  Ｔｒａｎｓｆｅｒ  Ｃｏｎｔｒｏｌ  Ｆｕｎｃｔｉｏｎ）に対して、「Ｉｎｉｔｉａｌ  ｏｆ  Ｓｅｓｓｉｏｎ  Ｔｒａｎｓｆｅｒ」、すなわち、「ＩＮＶＩＴＥ」を送信すると、図１８に示す手順によって、ＡＴＧＷ（Ａｃｃｅｓｓ  Ｔｒａｎｓｆｅｒ  Ｇａｔｅｗａｙ）は、ＵＥ＃２からＵＥ＃１宛ての音声通信用データ信号の送信先をＰ-ＧＷからＣＳ-ＭＧＷに切り替える。
【００１１】
その後、図１７に示すように、ステップＳ１４において、ＵＥ＃１が、Ｅ-ＵＴＲＡＮから送信された「ＨＯ  ｆｒｏｍ  ＥＵＴＲＡＮ  ｃｏｍｍａｎｄ」の受信に失敗する場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合、ＵＥ＃１は、Ｅ-ＵＴＲＡＮに在圏したままになるため、ＵＴＲＡＮ/ＧＥＲＡＮを介した経路によって送信されるＵＥ＃２からの音声通信用データを受信することができないという問題点があった。
【００１２】
同様に、図１９に示すように、ＰＳハンドオーバをサポートしないＳＲＶＣＣ改善方式の手順においても、ステップＳ１５において、ＵＥ＃１が、Ｅ-ＵＴＲＡＮから送信された「ＨＯ  ｆｒｏｍ  ＥＵＴＲＡＮ  ｃｏｍｍａｎｄ」の受信に失敗する場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合、ＵＥ＃１は、Ｅ-ＵＴＲＡＮに在圏したままになるため、ＵＴＲＡＮ/ＧＥＲＡＮを介した経路によって送信されるＵＥ＃２からの音声通信用データを受信することができないという問題点があった。
【００１３】
そこで、本発明は、上述の課題に鑑みてなされたものであり、ＵＥ＃１とＵＥ＃２との間の音声通信用データ信号の経路をＥ-ＵＴＲＡＮを介した経路からＵＴＲＡＮ/ＧＥＲＡＮを介した経路に切り替える制御において、ＵＥ＃１が、ハンドオーバ指示信号の受信に失敗した場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合等、ＵＥ＃１をＥ-ＵＴＲＡＮに留まらせることとなる事象が発生した場合であっても、通信不可となる事象を回避することができる移動通信方法を提供することを目的とする。
【課題を解決するための手段】
【００１４】
本発明の第１の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワーク用の所定サーバが、経路切替信号を送信すると共に、タイマを起動する工程と、前記第２移動局が、前記経路切替信号に基づいて、前記第１移動局宛ての前記音声通信用データ信号の送信宛先を、前記第１無線アクセスネットワークに接続されているゲートウェイ装置から前記所定サーバに切り替える工程と、前記所定サーバが、前記タイマが満了する前に、前記第１移動局の前記第１無線アクセスネットワークから前記第２無線アクセスネットワークへのハンドオーバの完了を検知しなかった場合に、経路復旧指示信号を送信する工程と、前記第２移動局が、前記経路復旧指示信号に応じて、前記第１移動局宛ての前記音声通信用データ信号の送信宛先を、前記所定サーバから前記ゲートウェイ装置に切り替える工程とを有することを要旨とする。
【００１５】
本発明の第２の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワークに接続されている回線交換機が、回線設定信号を送信すると共に、タイマを起動する工程と、前記第２無線アクセスネットワーク用の所定サーバが、前記回線設定信号に応じて、経路切替信号を送信する工程と、前記第２移動局が、前記経路切替信号に基づいて、前記第１移動局宛ての前記音声通信用データ信号の送信宛先を、前記第１無線アクセスネットワークに接続されているゲートウェイ装置から、前記所定サーバに切り替える工程と、前記回線交換機が、前記タイマが満了する前に、前記第１移動局の前記第１無線アクセスネットワークから前記第２無線アクセスネットワークへのハンドオーバの完了を検知しなかった場合に、タイマ満了信号を送信する工程と、前記所定サーバが、前記タイマ満了信号に応じて、経路復旧指示信号を送信する工程と、前記第２移動局が、前記経路復旧指示信号に応じて、前記第１移動局宛ての前記音声通信用データ信号の送信宛先を、前記所定サーバから前記ゲートウェイ装置に切り替える工程とを有することを要旨とする。
【００１６】
本発明の第３の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワーク内の制御装置が、ハンドオーバ準備完了信号を送信すると共に、タイマを起動する工程と、前記第２無線アクセスネットワークに接続されている回線交換機が、前記ハンドオーバ準備完了信号を受信した後、回線設定信号を送信する工程と、前記第２無線アクセスネットワーク用の所定サーバが、前記回線設定信号に応じて、経路切替信号を送信する工程と、前記第２移動局が、前記経路切替信号に基づいて、前記第１移動局宛ての前記音声通信用データ信号の送信宛先を、前記第１無線アクセスネットワークに接続されているゲートウェイ装置から、前記所定サーバに切り替える工程と、前記制御装置が、前記タイマが満了する前に、前記第１移動局の前記第１無線アクセスネットワークから前記第２無線アクセスネットワークへのハンドオーバの完了を検知しなかった場合に、タイマ満了信号を送信する工程と、前記所定サーバが、前記タイマ満了信号に応じて、経路復旧指示信号を送信する工程と、前記第２移動局が、前記経路復旧指示信号に応じて、前記第１移動局宛ての前記音声通信用データ信号の送信宛先を、前記所定サーバから前記ゲートウェイ装置に切り替える工程とを有することを要旨とする。
【００１７】
本発明の第４の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワーク用の所定サーバが、経路切替信号を送信する工程と、前記第２移動局が、前記経路切替信号に基づいて、前記第１移動局宛ての前記音声通信用データ信号の送信宛先を、前記第１無線アクセスネットワークに接続されているゲートウェイ装置から前記所定サーバに切り替える工程と、前記所定サーバが、前記第１移動局の前記第１無線アクセスネットワークから前記第２無線アクセスネットワークへのハンドオーバが中断したことを検知した場合に、経路復旧指示信号を送信する工程と、前記第２移動局が、前記経路復旧指示信号に応じて、前記第１移動局宛ての前記音声通信用データ信号の送信宛先を、前記所定サーバから前記ゲートウェイ装置に切り替える工程とを有することを要旨とする。
【００１８】
本発明の第５の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワーク用の所定サーバが、経路切替信号を送信する工程と、経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替えると共に、タイマを起動する工程と、前記経路切替装置が、前記タイマが満了する前に、前記音声通信用データ信号の経路の前記第１無線アクセスネットワークを介した経路から前記第２無線アクセスネットワークを介した経路への切り替えの完了を検知しなかった場合に、前記第２移動局から前記第１移動局宛ての前記音声通信用データ信号の送信宛先を、前記ゲートウェイ装置から前記所定サーバに切り替える工程とを有することを要旨とする。
【００１９】
本発明の第６の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワーク用の所定サーバが、経路切替信号を送信すると共に、タイマを起動する工程と、経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、前記所定サーバが、前記タイマが満了する前に、前記第１移動局の前記第１無線アクセスネットワークから前記第２無線アクセスネットワークへのハンドオーバの完了を検知しなかった場合に、経路復旧指示信号を送信する工程と、前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを要旨とする。
【００２０】
本発明の第７の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワークに接続されている回線交換機が、回線設定信号を送信すると共に、タイマを起動する工程と、前記第２無線アクセスネットワーク用の所定サーバが、前記回線設定信号に応じて、経路切替信号を送信する工程と、経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、前記回線交換機が、前記タイマが満了する前に、前記第１移動局の前記第１無線アクセスネットワークから前記第２無線アクセスネットワークへのハンドオーバの完了を検知しなかった場合に、タイマ満了信号を送信する工程と、前記所定サーバが、前記タイマ満了信号に応じて、経路復旧指示信号を送信する工程と、前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを要旨とする。
【００２１】
本発明の第８の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワーク内の制御装置が、ハンドオーバ準備完了信号を送信すると共に、タイマを起動する工程と、前記第２無線アクセスネットワークに接続されている回線交換機が、前記ハンドオーバ準備完了信号を受信した後、回線設定信号を送信する工程と、前記第２無線アクセスネットワーク用の所定サーバが、前記回線設定信号に応じて、経路切替信号を送信する工程と、経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、前記制御装置が、前記タイマが満了する前に、前記第１移動局の前記第１無線アクセスネットワークから前記第２無線アクセスネットワークへのハンドオーバの完了を検知しなかった場合に、タイマ満了信号を送信する工程と、前記所定サーバが、前記タイマ満了信号に応じて、経路復旧指示信号を送信する工程と、前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを要旨とする。
【００２２】
本発明の第９の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第２無線アクセスネットワーク用の所定サーバが、経路切替信号を送信する工程と、経路切替装置が、前記経路切替信号に基づいて、前記第２移動局から前記第１移動局宛ての前記音声通信用データ信号の送信宛先を、前記第１無線アクセスネットワークに接続されているゲートウェイ装置から前記所定サーバに切り替える工程と、前記所定サーバが、前記第１移動局の前記第１無線アクセスネットワークから前記第２無線アクセスネットワークへのハンドオーバが中断したことを検知した場合に、経路復旧指示信号を送信する工程と、前記経路切替装置が、前記経路復旧指示信号に応じて、前記第２移動局から前記第１移動局宛ての前記音声通信用データ信号の送信宛先を、前記所定サーバから前記ゲートウェイ装置に切り替える工程とを有することを要旨とする。
【００２３】
本発明の第１０の特徴は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法であって、前記第１無線アクセスネットワークに接続されている移動管理ノードが、経路切替信号を送信すると共に、タイマを起動する工程と、前記第１無線アクセスネットワークに接続されているゲートウェイ装置が、前記経路切替信号に基づいて、前記第２移動局から前記第１移動局宛ての前記音声通信用データ信号の送信宛先を、前記第１無線アクセスネットワークから前記所定サーバに切り替える工程と、前記移動管理ノードが、前記タイマが満了する前に、前記第１移動局の前記第１無線アクセスネットワークから前記第２無線アクセスネットワークへのハンドオーバの完了を検知しなかった場合に、経路復旧指示信号を送信する工程と、前記ゲートウェイ装置が、前記経路復旧指示信号に応じて、前記第２移動局から前記第１移動局宛ての前記音声通信用データ信号の送信宛先を、前記所定サーバから前記第１無線アクセスネットワークに切り替える工程とを有することを要旨とする。
【発明の効果】
【００２４】
以上説明したように、本発明によれば、ＵＥ＃１とＵＥ＃２との間の音声通信用データ信号の経路をＥ-ＵＴＲＡＮを介した経路からＵＴＲＡＮ/ＧＥＲＡＮを介した経路に切り替える制御において、ＵＥ＃１が、ハンドオーバ指示信号の受信に失敗した場合、あるいは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合等、ＵＥ＃１をＥ-ＵＴＲＡＮに留まらせることとなる事象が発生した場合であっても、通信不可となる事象を回避することができる移動通信方法を提供することができる。
【図面の簡単な説明】
【００２５】
【図１】本発明の第１の実施形態に係る移動通信システムの全体構成図である。
【図２】本発明の第１の実施形態に係る移動通信システムの動作について説明するシーケンス図である。
【図３】本発明の第１の実施形態に係る移動通信システムの動作について説明するシーケンス図である。
【図４】本発明の第１の実施形態に係る移動通信システムの動作について説明するシーケンス図である。
【図５】本発明の第１の実施形態の変更例３に係る移動通信システムの動作について説明するシーケンス図である。
【図６】本発明の第２の実施形態に係る移動通信システムの全体構成図である。
【図７】本発明の第２の実施形態に係る移動通信システムの動作について説明するシーケンス図である。
【図８】本発明の第２の実施形態に係る移動通信システムの動作について説明するシーケンス図である。
【図９】本発明の第２の実施形態に係る移動通信システムの動作について説明するシーケンス図である。
【図１０】本発明の第３の実施形態に係る移動通信システムの動作について説明するシーケンス図である。
【図１１】本発明の第３の実施形態の変更例３に係る移動通信システムの動作について説明するシーケンス図である。
【図１２】本発明の第４の実施形態に係る移動通信システムの全体構成図である。
【図１３】本発明の第４の実施形態に係る移動通信システムの動作について説明するシーケンス図である。
【図１４】従来の移動通信システムの動作について説明するシーケンス図である。
【図１５】従来の移動通信システムの動作について説明するシーケンス図である。
【図１６】従来の移動通信システムの動作について説明するシーケンス図である。
【図１７】従来の移動通信システムの動作について説明するシーケンス図である。
【図１８】従来の移動通信システムの動作について説明するシーケンス図である。
【図１９】従来の移動通信システムの動作について説明するシーケンス図である。
【発明を実施するための形態】
【００２６】
（本発明の第１の実施形態）
図１乃至図４を参照して、本発明の第１の実施形態に係る移動通信システムについて説明する。
【００２７】
本実施形態に係る移動通信システムには、Ｅ-ＵＴＲＡＮと、ＵＴＲＡＮ/ＧＥＲＡＮとが収容されている。
【００２８】
具体的には、図１に示すように、本実施形態に係る移動通信システムは、Ｅ-ＵＴＲＡＮや、ＵＴＲＡＮ/ＧＥＲＡＮや、ＩＭＳや、ＭＭＥ（Ｍｏｂｉｌｉｔｙ  Ｍａｎａｇｅｍｅｎｔ  Ｅｎｔｉｔｙ、移動管理ノード）や、Ｓ/Ｐ-ＧＷ（Ｓｅｒｖｉｎｇ-Ｇａｔｅｗａｙ、サービングゲートウェイ装置）や、Ｓ/Ｐ-ＧＷや、ＭＳＣ（Ｍｏｂｉｌｅ  Ｓｗｉｔｃｈｉｎｇ  Ｃｅｎｔｅｒ、回線交換機）や、ＳＧＳＮ（Ｓｅｒｖｉｎｇ  ＧＰＲＳ  Ｓｕｐｐｏｒｔ  Ｎｏｄｅ、パケット交換機）や、ＭＳＣサーバ/ＣＳ-ＭＧＷ等を具備している。
【００２９】
また、ＩＭＳは、Ｐ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ）や、Ｉ/Ｓ-ＣＳＣＦ（Ｉｎｔｅｒｏｇａｔｉｏｎ/Ｓｅｒｖｉｎｇ-Ｃａｌｌ  Ｓｅｓｓｉｏｎ  Ｃｏｎｔｒｏｌ  Ｆｕｎｃｔｉｏｎ）や、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）等を具備している。
【００３０】
ここで、本実施形態に係る移動通信システムでは、ＳＲＶＣＣ方式によって、ＵＥ＃１とＵＥ＃２との間の音声通信用の経路を、Ｅ-ＵＴＲＡＮ或いはＵＴＲＡＮを介した経路（ＩＭＳ  ＶｏＩＰ通信用の経路）からＵＴＲＡＮ/ＧＥＲＡＮを介した経路（回線交換通信用の経路）に切り替えることができる。
【００３１】
以下、図２乃至図４を参照して、本実施形態に係る移動通信システムの動作について説明する。
【００３２】
ここで、図２及び図３を参照して、本実施形態に係る移動通信システムにおいて、ＰＯハンドオーバをサポートするＳＲＶＣＣ方式によって、ＵＥ＃１とＵＥ＃２との間の音声通信用の経路を、Ｅ-ＵＴＲＡＮを介した経路からＵＴＲＡＮ/ＧＥＲＡＮを介した経路に切り替える動作について説明する。
【００３３】
図２に示すように、ステップ１において、ＵＥ＃１は、Ｅ-ＵＴＲＡＮ内のｅＮＢ（無線基地局）に対して「Ｍｅａｓｕｒｅｍｅｎｔ  ｒｅｐｏｒｔｓ」を送信し、ステップ２において、ｅＮＢは、ＵＥ＃１のＥ-ＵＴＲＡＮからＵＴＲＡＮ/ＧＥＲＡＮへのハンドオーバを行うことを決定する。
【００３４】
ステップ３において、ｅＮＢは、ＭＭＥに対して、「Ｈａｎｄｏｖｅｒ  Ｒｅｑｕｉｒｅｄ」を送信し、ステップ４において、ＭＭＥは、「Ｂｅａｒｅｒ  Ｓｐｌｉｔｔｉｎｇ」を行う。
【００３５】
ＭＭＥは、ステップ５ａにおいて、ＭＳＣサーバ/ＣＳ-ＭＧＷに対して、「ＰＳ  ｔｏ  ＣＳ  Ｒｅｑ」を送信し、ステップ６ａにおいて、ＳＧＳＮに対して、「Ｆｏｒｗａｒｄ  Ｒｅｌｏｃ  Ｒｅｑ」を送信する。
【００３６】
ステップ５ｂにおいて、ＭＳＣサーバ/ＣＳ-ＭＧＷは、ＭＳＣに対して、「Ｐｒｅｐ  ＨＯ」を送信し、ステップ５ｃにおいて、ＭＳＣは、ＵＴＲＡＮ/ＧＥＲＡＮに対して、「Ｒｅｌｏｃ/ＨＯ  Ｒｅｑ」を送信する。
【００３７】
ステップ６ｂにおいて、ＳＧＳＮは、ＵＴＲＡＮ/ＧＥＲＡＮに対して、「Ｒｅｌｏｃ/ＨＯ  Ｒｅｑ」を送信し、ステップ７ａにおいて、ＵＴＲＡＮ/ＧＥＲＡＮは、ＳＧＳＮに対して、「Ｒｅｌｏｃ/ＨＯ  Ｒｅｑ  Ａｃｋ」を送信し、ステップ７ｂにおいて、ＳＧＳＮは、ＭＭＥに対して、「Ｆｏｒｗａｒｄ  Ｒｅｌｏｃ  Ｒｅｑ」を送信する。
【００３８】
ステップ８ａにおいて、ＵＴＲＡＮ/ＧＥＲＡＮは、ＭＳＣに対して、「Ｒｅｌｏｃ/ＨＯ  Ｒｅｑ  Ａｃｋ」を送信し、ＭＳＣは、ＭＳＣサーバ/ＣＳ-ＭＧＷに対して、ステップ８ｂにおいて、「Ｐｒｅｐ  ＨＯ  Ｒｅｓｐ」を送信し、ステップ８ｃにおいて、「Ｅｓｔａｂｌｉｓｈ  ｃｉｒｃｕｉｔ」を送信する。
【００３９】
ステップ９において、ＭＳＣサーバ/ＣＳ-ＭＧＷは、ＩＭＳに対して、「Ｉｎｉｔｉａｔｉｏｎ  ｏｆ  Ｓｅｓｓｉｏｎ  Ｔｒａｎｓｆｅｒ（図３のステップＳ１００１Ａの「ＩＮＶＩＴＥ」）を送信する。
【００４０】
ここで、図３に示すように、ＭＳＣサーバ/ＣＳ-ＭＧＷは、ステップＳ１００１Ａにおいて、Ｉ/Ｓ-ＣＳＣＦに対して、「ＩＮＶＩＴＥ（経路切替信号）」を送信すると、ステップＳ１００１Ｂにおいて、タイマを起動する。
【００４１】
ステップ１００２において、Ｉ/Ｓ-ＣＳＣＦは、ＳＣＣ  ＡＳに対して、「ＩＮＶＩＴＥ」を送信し、ステップＳ１００３において、ＳＣＣ  ＡＳは、Ｉ/Ｓ-ＣＳＣＦに対して、「ＵＰＤＡＴＥ」又は「ＩＮＶＩＴＥ」を送信し、ステップＳ１００４において、Ｉ/Ｓ-ＣＳＣＦは、ＵＥ＃２に対して、「ＵＰＤＡＴＥ」又は「ＩＮＶＩＴＥ」を送信する。
【００４２】
なお、ＳＣＣ  ＡＳは、ステップ１００２において、或いは、ステップ１００５が実施された後にＩ/Ｓ-ＣＳＣＦを介してＵＥ＃２から応答信号を受信した際に、切り替え前の音声通信用データ信号の送信宛先に関する情報（例えば、Ｐ-ＧＷの識別子或いはＩＰアドレス等）を保持する。この情報は、ＳＴＮ-ＳＲ等の移動局識別子と関連付けられて保持されてもよい。また、かかる切り替え前の音声通信用データ信号の送信宛先に関する情報は、Ｓ-ＣＳＣＦにおいて保持されてもよい。
【００４３】
ステップＳ１００５において、ＵＥ＃２は、経路切替信号である「ＵＰＤＡＴＥ」又は「ＩＮＶＩＴＥ」に応じて、ＵＥ＃１宛ての音声通信用データ信号の送信宛先をＳ/Ｐ-ＧＷからＭＳＣサーバ/ＣＳ-ＭＧＷに切り替える。
【００４４】
図２に戻り、ステップ１２において、ＭＳＣサーバ/ＣＳ-ＭＧＷは、ＭＭＥに対して、「ＰＳ  ｔｏ  ＣＳ  Ｒｅｓｐ」を送信し、ステップ１３において、ＭＭＥは、ｅＮＢに対して、「Ｈａｎｄｏｖｅｒ  Ｃｏｍｍａｎｄ」を送信し、ステップ１４において、ｅＮＢは、ＵＥ＃１に対して、「ＨＯ  ｆｒｏｍ  ＥＵＴＲＡＮ  ｃｏｍｍａｎｄ」を送信する。
【００４５】
ステップ１５において、ＵＥ＃１は、「ＨＯ  ｆｒｏｍ  ＥＵＴＲＡＮ  ｃｏｍｍａｎｄ」に応じて、Ｅ-ＵＴＲＡＮからＵＴＲＡＮ/ＧＥＲＡＮへの音声通信用データ信号の通信経路の切り替えを行う。
【００４６】
ステップ１６において、ＵＥ＃１のＥ-ＵＴＲＡＮからＵＴＲＡＮ/ＧＥＲＡＮへのハンドオーバ処理を行う。
【００４７】
ステップ１７ａにおいて、ＵＴＲＡＮ/ＧＥＲＡＮは、ＭＳＣに対して、「Ｒｅｌｏｃ/ＨＯ  Ｃｏｍｐｌｅｔｅ」を送信し、ＭＳＣは、ＭＳＣサーバ/ＣＳ-ＭＧＷに対して、ステップ１７ｂにおいて、ＳＥＣ（ＨＯ  Ｃｏｍｐｌｅｔｅ）を送信し、ステップ１７ｃにおいて、「ＡＮＳＷＥＲ」を送信する。
【００４８】
ステップ１７ｄ以降の動作は、既存のＳＲＶＣＣ方式の手順と同一である。
【００４９】
ここで、図３に戻り、ＭＳＣサーバ/ＣＳ-ＭＧＷは、ステップＳ１０１１において、タイマが満了する前に、ＭＳＣから「ＳＥＳ（ＨＯ  Ｃｏｍｐｌｅｔｅ）」或いは「ＡＮＳＷＥＲ」を受信した場合、すなわち、ＵＥ＃１のＥ-ＵＴＲＡＮからＵＴＲＡＮ/ＧＥＲＡＮへのハンドオーバの完了を検知した場合、ステップＳ１０１２において、タイマを停止する。
【００５０】
一方、ＭＳＣサーバ/ＣＳ-ＭＧＷは、ステップＳ１０２１において、ＭＳＣから「ＳＥＳ（ＨＯ  Ｃｏｍｐｌｅｔｅ）」或いは「ＡＮＳＷＥＲ」を受信する前に、タイマが満了した場合、ステップＳ１０２２において、ＩＭＳ内のＩ/Ｓ-ＣＳＣＦに対して、「ＩＮＶＩＴＥ」等の経路復旧信号を送信する。
【００５１】
ステップＳ１０２３において、Ｉ/Ｓ-ＣＳＣＦは、ＳＣＣ  ＡＳに対して、「ＩＮＶＩＴＥ」を送信し、ステップＳ１０２４において、ＳＣＣ  ＡＳは、Ｉ/Ｓ-ＣＳＣＦに対して、「ＵＰＤＡＴＥ」又は「ＩＮＶＩＴＥ」を送信し、ステップＳ１０２５において、Ｉ/Ｓ-ＣＳＣＦは、ＵＥ＃２に対して、切り替え先情報であるＰ-ＧＷ情報を含む「ＵＰＤＡＴＥ」又は「ＩＮＶＩＴＥ」を送信する。
【００５２】
なお、ＳＣＣ  ＡＳは、ステップ１０２４において、「ＵＰＤＡＴＥ」又は「ＩＮＶＩＴＥ」をＩ/Ｓ-ＣＳＣＦに送信する際に、切り替え先情報であるＰ-ＧＷ情報を併せて送信してもよい。また、かかる情報は、Ｓ-ＣＳＣＦにおいて保持されている情報から設定されてもよい。
【００５３】
この結果、ＵＥ＃２は、経路復旧信号である「ＵＰＤＡＴＥ」又は「ＩＮＶＩＴＥ」に応じて、ＵＥ＃１宛ての音声通信用データ信号の送信宛先をＭＳＣサーバ/ＣＳ-ＭＧＷからＳ/Ｐ-ＧＷに切り替える。
【００５４】
ステップＳ１０２６において、Ｉ/Ｓ-ＣＳＣＦは、ＭＳＣサーバ/ＣＳ-ＭＧＷに対して、経路完了通知信号を送信してもよい。
【００５５】
なお、図４に、本実施形態に係る移動通信システムにおいて、ＰＯハンドオーバをサポートしないＳＲＶＣＣ方式によって、ＵＥ＃１とＵＥ＃２との間の音声通信用の経路を、Ｅ-ＵＴＲＡＮを介した経路からＵＴＲＡＮ/ＧＥＲＡＮを介した経路に切り替える動作について示す。
【００５６】
かかる動作は、ＰＯハンドオーバに係る動作が含まれていない点を除いて、図２及び図３に示す動作と同一である。
【００５７】
本実施形態に係る移動通信システムによれば、ＭＳＣサーバ/ＣＳ-ＭＧＷは、「Ｉｎｉｔｉａｔｉｏｎ  ｏｆ  Ｓｅｓｓｉｏｎ  Ｔｒａｎｓｆｅｒ（すなわち、「ＩＮＶＩＴＥ」）を送信してから、所定期間が満了する前に、ＵＥ＃１のＥ-ＵＴＲＡＮからＵＴＲＡＮ/ＧＥＲＡＮへのハンドオーバの完了を検知しなかった場合、ＵＥ＃２からＵＥ＃１宛ての音声通信用データ信号の送信宛先をＭＳＣサーバ/ＣＳ-ＭＧＷからＳ/Ｐ-ＧＷに戻すように構成されているため、ＵＥ＃１がハンドオーバ指示信号の受信に失敗した場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合等、ＵＥ＃１をＥ-ＵＴＲＡＮに留まらせることとなる事象が発生した場合であっても通信不可となる事象を回避することができる。
【００５８】
（変更例１）
以下、上述の第１の実施形態の変更例１に係る移動通信システムについて、上述の第１の実施形態に係る移動通信システムとの相違点に着目して説明する。
【００５９】
本変更例１に係る移動通信システムでは、ＭＳＣサーバ/ＣＳ-ＭＧＷの代わりに、ＭＳＣが、ＭＳＣサーバ/ＣＳ-ＭＧＷに対して、「Ｅｓｔａｂｌｉｓｈ  ｃｉｒｃｕｉｔ（回線設定信号）」を送信すると共に、タイマを起動するように構成されている。
【００６０】
そして、ＭＳＣは、かかるタイマが満了する前に、ＵＥ＃１のＥ-ＵＴＲＡＮからＵＴＲＡＮ/ＧＥＲＡＮへのハンドオーバの完了を検知しなかった場合に、ＭＳＣサーバ/ＣＳ-ＭＧＷに対して、タイマ満了信号を送信するように構成されている。
【００６１】
ここで、ＭＳＣサーバ/ＣＳ-ＭＧＷは、かかるタイマ満了信号に応じて、Ｉ/Ｓ-ＣＳＣＦに対して、上述の経路復旧指示信号を送信するように構成されている。
【００６２】
一方、ＭＳＣは、かかるタイマが満了する前に、ＵＥ＃１のＥ-ＵＴＲＡＮからＵＴＲＡＮ/ＧＥＲＡＮへのハンドオーバの完了を検知しなかった場合には、かかるタイマを停止する。
【００６３】
（変更例２）
以下、上述の第１の実施形態の変更例２に係る移動通信システムについて、上述の第１の実施形態に係る移動通信システムとの相違点に着目して説明する。
【００６４】
本変更例２に係る移動通信システムでは、ＭＳＣサーバ/ＣＳ-ＭＧＷの代わりに、ＵＴＲＡＮ/ＧＥＲＡＮ内のＲＮＣ（Ｒａｄｉｏ  Ｎｅｔｗｏｒｋ  Ｃｏｎｔｒｏｌｌｅｒ）が、ＭＳＣに対して、「Ｒｅｌｏｃ/ＨＯ  Ｒｅｑ  Ａｃｋ（ハンドオーバ準備完了信号）」を送信すると共に、タイマを起動するように構成されている。
【００６５】
ここで、ＲＮＣは、かかるタイマが満了する前に、ＵＥ＃１のＥ-ＵＴＲＡＮからＵＴＲＡＮ/ＧＥＲＡＮへのハンドオーバの完了を検知しなかった場合に、ＭＳＣを介して、ＭＳＣサーバ/ＣＳ-ＭＧＷに対して、タイマ満了信号を送信するように構成されている。
【００６６】
なお、ＭＳＣサーバ/ＣＳ-ＭＧＷは、かかるタイマ満了信号に応じて、Ｉ/Ｓ-ＣＳＣＦに対して、上述の経路復旧指示信号を送信するように構成されている。
【００６７】
（変更例３）
以下、図５を参照して、上述の第１の実施形態の変更例３に係る移動通信システムについて、上述の第１の実施形態に係る移動通信システムとの相違点に着目して説明する。
【００６８】
本変更例３に係る移動通信システムでは、ＭＳＣサーバ/ＣＳ-ＭＧＷが、上述のタイマ制御を行う代わりに、ＵＥ＃１のＥ-ＵＴＲＡＮからＵＴＲＡＮ/ＧＥＲＡＮへのハンドオーバが中断したことを検知した場合に、上述の経路復旧指示信号を送信するように構成されている。
【００６９】
例えば、ＭＳＣサーバ/ＣＳ-ＭＧＷが、ＲＮＣ或いはＭＳＣによって起動される解放処理を検出することによって、かかるハンドオーバ中断の検出を行ってもよい。
【００７０】
また、ＭＳＣサーバ/ＣＳ-ＭＧＷは、ＭＭＥによって送信されたハンドオーバキャンセル信号を受信した場合に、ＵＥ＃１のＥ-ＵＴＲＡＮからＵＴＲＡＮ/ＧＥＲＡＮへのハンドオーバが中断したことを検知するように構成されていてもよい。
【００７１】
具体的には、図５に示すように、ＵＥ＃１が、ステップ１４において、Ｅ-ＵＴＲＡＮによって送信された「ＨＯ  ｆｒｏｍ  ＥＵＴＲＡＮ  ｃｏｍｍａｎｄ」の受信に失敗した後、或いは、「ＨＯ  ｆｒｏｍ  ＥＵＴＲＡＮ  ｃｏｍｍａｎｄ」を受信したが、ＧＥＲＡＮ/ＵＴＲＡＮを介した経路への切り替えに失敗した後、ステップＳ１１０１Ａにおいて、Ｅ-ＵＴＲＡＮに対するＡＳ（Ａｃｃｅｓｓ  Ｓｔｒａｔｕｍ）レイヤでの再接続に成功すると、Ｅ-ＵＴＲＡＮは、ステップＳ１１０２Ａにおいて、ＭＭＥに対して、接続/復旧通知信号を送信する。
【００７２】
一方、図５に示すように、ＵＥ＃１は、ステップ１４において、Ｅ-ＵＴＲＡＮによって送信された「ＨＯ  ｆｒｏｍ  ＥＵＴＲＡＮ  ｃｏｍｍａｎｄ」の受信に失敗した、或いは、「ＨＯ  ｆｒｏｍ  ＥＵＴＲＡＮ  ｃｏｍｍａｎｄ」を受信したが、ＧＥＲＡＮ/ＵＴＲＡＮを介した経路への切り替えに失敗した後、Ｅ-ＵＴＲＡＮに対するＡＳレイヤでの再接続に失敗すると、ステップＳ１１０１Ｂにおいて、ＭＭＥに対して、「Ｓｅｒｖｉｃｅ  Ｒｅｑｕｅｓｔ」或いは「ＴＡ（Ｔｒａｃｋｉｎｇ  Ａｒｅａ）  Ｕｐｄａｔｅ」等のＮＡＳ（Ｎｏｎ-Ａｃｃｅｓｓ  Ｓｔｒａｔｕｍ）信号を送信する、すなわち、ＭＭＥとの間で、ＮＡＳレイヤでの再接続を行う。
【００７３】
ＭＭＥは、上述の接続/復旧通知信号又はＮＡＳ信号を受信すると、ステップＳ１１０３において、ＭＳＣサーバ/ＣＳ-ＭＧＷに対して、ハンドオーバキャンセル信号（「ＰＳ  ｔｏ  ＣＳ  Ｃａｎｃｅｌ  Ｎｏｔｉｆｉｃａｔｉｏｎ」）を送信する。
【００７４】
ＭＳＣサーバ/ＣＳ-ＭＧＷが、かかるハンドオーバキャンセル信号を受信すると、図３におけるステップＳ１０２２乃至Ｓ１０２６の動作が行われる。
【００７５】
また、ＭＳＣサーバ/ＣＳ-ＭＧＷは、かかるハンドオーバキャンセル信号を受信すると、ステップＳ１１０４において、ＭＭＥに対して、ハンドオーバキャンセルＡｃｋ信号（「ＰＳ  ｔｏ  ＣＳ  Ｃａｎｃｅｌ  Ｎｏｔｉｆｉｃａｔｉｏｎ  Ａｃｋ」）を送信する。
【００７６】
ＭＭＥは、ハンドオーバキャンセルＡｃｋ信号を受信すると、ＵＥ＃１に対して、「Ｓｅｓｓｉｏｎ  Ｒｅｅｓｔａｂｌｉｓｈｍｅｎｔ  ｔｒｉｇｇｅｒ  ｎｏｔｉｆｉｃａｔｉｏｎ」を送信する。
【００７７】
ここで、ＭＭＥは、ステップＳ１１０５において、ハンドオーバキャンセルＡｃｋ信号を受信した場合に、ＵＥ＃１の能力（例えば、「Ｓｅｓｓｉｏｎ  Ｒｅｅｓｔａｂｌｉｓｈｍｅｎｔ  ｔｒｉｇｇｅｒ  ｎｏｔｉｆｉｃａｔｉｏｎ」のサポートの有無等）や、ＳＲＶＣＣ改善方式の実施の有無や、ハンドオーバキャンセルＡｃｋ信号に含まれる「Ｃａｕｓｅ値」や、ＭＭＥが再接続を検出した理由（例えば、ＡＳレイヤでの再接続或いはＮＡＳレイヤでの再接続）や、再接続前に接続していたＭＭＥから受信したハンドオーバ状態等に基づいて、ＵＥ＃１に対して、「Ｓｅｓｓｉｏｎ  Ｒｅｅｓｔａｂｌｉｓｈｍｅｎｔ  ｔｒｉｇｇｅｒ  ｎｏｔｉｆｉｃａｔｉｏｎ」を送信するか否かについて判断してもよい。
【００７８】
（本発明の第２の実施形態）
以下、図６乃至図９を参照して、本発明の第２の実施形態に係る移動通信システムについて、上述の第１の実施形態に係る移動通信システムとの相違点に着目して説明する。
【００７９】
図６に示すように、本実施形態に係る移動通信システムは、図１に示す構成に加えて、ＡＴＧＷや、ＩＭＳ内のＡＴＣＦを具備している。
【００８０】
ここで、本実施形態に係る移動通信システムでは、ＳＲＶＣＣ改善方式によって、ＵＥ＃１とＵＥ＃２との間の音声通信用の経路を、Ｅ-ＵＴＲＡＮ或いはＵＴＲＡＮを介した経路（ＩＭＳ  ＶｏＩＰ通信用の経路）からＵＴＲＡＮ/ＧＥＲＡＮを介した経路（回線交換通信用の経路）に切り替えることができる。
【００８１】
ここで、図７及び図８を参照して、本実施形態に係る移動通信システムにおいて、ＰＯハンドオーバをサポートするＳＲＶＣＣ改善方式によって、ＵＥ＃１とＵＥ＃２との間の音声通信用の経路を、Ｅ-ＵＴＲＡＮを介した経路からＵＴＲＡＮ/ＧＥＲＡＮを介した経路に切り替える動作について説明する。
【００８２】
ステップ９において、ＭＳＣサーバ/ＣＳ-ＭＧＷは、ＩＭＳ内のＡＴＣＦに対して、「Ｉｎｉｔｉａｔｉｏｎ  ｏｆ  Ｓｅｓｓｉｏｎ  Ｔｒａｎｓｆｅｒ（図８のステップ２の「ＩＮＶＩＴＥ」）を送信する。
【００８３】
ここで、図８に示すように、ステップ２において、ＭＳＣサーバ/ＣＳ-ＭＧＷは、ＡＴＣＦに対して、「ＩＮＶＩＴＥ（経路切替信号）」を送信すると、ステップ３において、ＡＴＣＦは、ＡＴＧＷに対して、「Ｃｏｎｆｉｇｕｒｅ  ＡＴＧＷ」を送信する。
【００８４】
ここで、ＡＴＧＷは、経路切替信号である「Ｃｏｎｆｉｇｕｒｅ  ＡＴＧＷ」を受信すると、ステップＳ２００１において、ＵＥ＃２からＵＥ＃１宛ての音声通信用データ信号の送信宛先をＳ/Ｐ-ＧＷからＭＳＣサーバ/ＣＳ-ＭＧＷに切り替え、ステップＳ２００２において、タイマを起動し、ステップ４において、ＡＴＣＦに対して、「Ｃｏｎｆｉｇｕｒｅ  ＡＴＧＷ  Ａｃｋ」を送信する。
【００８５】
その後、ＡＴＧＷは、かかるタイマが満了する前に、音声通信用データ信号の経路のＥ-ＵＴＲＡＮを介した経路からＵＴＲＡＮ/ＧＥＲＡＮを介した経路への切り替えの完了を検知した場合に、すなわち、ステップＳ２０１２において、ＡＴＣＦから切り替え完了通知信号を受信した場合、ステップＳ２０１３において、タイマを停止する。
【００８６】
一方、ＡＴＧＷは、ステップＳ２０２１において、音声通信用データ信号の経路のＥ-ＵＴＲＡＮを介した経路からＵＴＲＡＮ/ＧＥＲＡＮを介した経路への切り替えの完了を検知することなく、すなわち、ＡＴＣＦから切り替え完了通知信号を受信することなく、タイマが満了したことを検知した場合、ステップＳ２０２２において、ＵＥ＃２からＵＥ＃１宛ての音声通信用データ信号の送信宛先をＳ/Ｐ-ＧＷからＭＳＣサーバ/ＣＳ-ＭＧＷに切り替え、ステップＳ２０２３において、ＡＴＣＦに対して、復旧通知信号を送信する。
【００８７】
なお、ＡＴＧＷは、ステップ２００１において、「Ｃｏｎｆｉｇｕｒｅ  ＡＴＧＷ」を受信した時に、切り替え前の音声通信用データ信号の送信宛先に関する情報（例えば、Ｐ-ＧＷの識別子或いはＩＰアドレス等）を保持している。この情報は、ＳＴＮ-ＳＲ或いはＣ-ＭＳＩＳＤＮ等の移動局識別子と関連付けられて保持されてもよい。
【００８８】
ここで、ＡＴＧＷ及びＰ-ＧＷが、同一の装置である場合、ステップＳ２０１１におけるセッション切断信号受信通知信号は、送信されなくてもよい。かかる場合、ＡＴＣＦ/Ｐ-ＧＷは、ステップ５において、「Ｒｅｓｐｏｎｓｅ/ＳＳＩ」を送信した後、常時、ステップ６において、ＳＣＣ  ＡＳ/Ｓ-ＣＳＣＦに対して、「Ａｃｃｅｓｓ  Ｔｒａｎｓｆｅｒ  Ｎｏｔｉｆｉｃａｔｉｏｎ」を送信する。
【００８９】
なお、図９に、本実施形態に係る移動通信システムにおいて、ＰＯハンドオーバをサポートしないＳＲＶＣＣ改善方式によって、ＵＥ＃１とＵＥ＃２との間の音声通信用の経路を、Ｅ-ＵＴＲＡＮを介した経路からＵＴＲＡＮ/ＧＥＲＡＮを介した経路に切り替える動作について示す。
【００９０】
かかる動作は、ＰＯハンドオーバに係る動作が含まれていない点を除いて、図６及び図７に示す動作と同一である。
【００９１】
本実施形態に係る移動通信システムによれば、ＡＴＧＷは、「Ｃｏｎｆｉｇｕｒｅ  ＡＴＧＷ」を受信してから、所定期間が満了する前に、音声通信用データ信号の経路のＥ-ＵＴＲＡＮを介した経路からＵＴＲＡＮ/ＧＥＲＡＮを介した経路への切り替えの完了を検知しなかった場合、ＵＥ＃２からＵＥ＃１宛ての音声通信用データ信号の送信宛先をＭＳＣサーバ/ＣＳ-ＭＧＷからＳ/Ｐ-ＧＷに戻すように構成されているため、ＵＥ＃１がハンドオーバ指示信号の受信に失敗した場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合等、ＵＥ＃１をＥ-ＵＴＲＡＮに留まらせることとなる事象が発生した場合であっても通信不可となる事象を回避することができる。
【００９２】
（本発明の第３の実施形態）
以下、図９を参照して、本発明の第３の実施形態に係る移動通信システムについて、上述の第２の実施形態に係る移動通信システムとの相違点に着目して説明する。
【００９３】
図９に示すように、ＭＳＣサーバ/ＣＳ-ＭＧＷは、ステップ２において、ＡＴＣＦに対して、「ＩＮＶＩＴＥ（経路切替信号）」を送信し、ステップＳ３００１において、タイマを起動する。
【００９４】
ここで、ＡＴＧＷは、ステップ３において、経路切替信号である「Ｃｏｎｆｉｇｕｒｅ  ＡＴＧＷ」を受信すると、ステップＳ３００２において、ＵＥ＃２からＵＥ＃１宛ての音声通信用データ信号の送信宛先をＳ/Ｐ-ＧＷからＭＳＣサーバ/ＣＳ-ＭＧＷに切り替え、ステップ４において、ＡＴＣＦに対して、「Ｃｏｎｆｉｇｕｒｅ  ＡＴＧＷ  Ａｃｋ」を送信する。
【００９５】
その後、ＭＳＣサーバ/ＣＳ-ＭＧＷは、かかるタイマが満了する前に、ＵＥ＃１のＥ-ＵＴＲＡＮからＵＴＲＡＮ/ＧＥＲＡＮへのハンドオーバの完了を検知した場合に、すなわち、ステップＳ３０１１において、ＭＳＣから「ＳＥＳ（ＨＯ  Ｃｏｍｐｌｅｔｅ）」又は「ＡＮＳＷＥＲ」を受信した場合、ステップＳ３０１２において、タイマを停止する。
【００９６】
かかる場合、ステップＳ３０１３において、ＭＳＣサーバ/ＣＳ-ＭＧＷは、ＡＴＣＦに対して、切り替え成功通知信号を送信してもよい。
【００９７】
かかる場合、ステップ６における「Ａｃｃｅｓｓ  Ｔｒａｎｓｆｅｒ  Ｎｏｔｉｆｉｃａｔｉｏｎ」及びステップ７における「Ｒｅｓｐｏｎｓｅ」は、正常なＵＥ＃１のＥ-ＵＴＲＡＮからＵＴＲＡＮ/ＧＥＲＡＮへのハンドオーバの完了時のみに送信されることが可能となる。
【００９８】
一方、ＭＳＣサーバ/ＣＳ-ＭＧＷは、ステップＳ３０２１において、ＵＥ＃１のＥ-ＵＴＲＡＮからＵＴＲＡＮ/ＧＥＲＡＮへのハンドオーバの完了を検知することなく、すなわち、ＭＳＣから「ＳＥＳ（ＨＯ  Ｃｏｍｐｌｅｔｅ）」又は「ＡＮＳＷＥＲ」を受信することなく、タイマが満了したことを検知した場合、ステップＳ３０２２において、ＡＴＣＦに対して、経路復旧指示信号を送信する。
【００９９】
ステップＳ３０２３において、ＡＴＣＦは、ＡＴＧＷに対して、「Ｃｏｎｆｉｇｕｒｅ  ＡＴＧＷ」を送信する。
【０１００】
なお、ＡＴＣＦは、ステップ２において「ＩＮＶＩＴＥ」を受信した時に、切り替え前の音声通信用データ信号の送信宛先に関する情報（例えば、Ｐ-ＧＷの識別子或いはＩＰアドレス等）を保持してもよい。
【０１０１】
この情報は、ＳＴＮ-ＳＲ或いはＣ-ＭＳＩＳＤＮ等の移動局識別子と関連付けられて保持されてもよい。また、かかる情報は、ＭＳＣサーバ/ＣＳ-ＭＧＷに保持されて、ステップＳ３０２２においてＡＴＣＦに通知されもよい。或いは、かかる情報は、ステップ３においてＡＴＧＷにて保持されていてもよい。
【０１０２】
ＡＴＧＷは、経路切替信号である「Ｃｏｎｆｉｇｕｒｅ  ＡＴＧＷ」を受信すると、ＵＥ＃２からＵＥ＃１宛ての音声通信用データ信号の送信宛先をＭＳＣサーバ/ＣＳ-ＭＧＷからＳ/Ｐ-ＧＷに切り替え、ステップＳ３０２４において、ＡＴＣＦに対して、「Ｃｏｎｆｉｇｕｒｅ  ＡＴＧＷ  Ａｃｋ」を送信する。
【０１０３】
なお、音声通信用データ信号の送信宛先情報（例えば、Ｐ-ＧＷの識別子或いはＩＰアドレス等）は、ステップＳ３０２３において通知されるか、或いは、ＡＴＧＷが保持する情報に基づいてもよい。
【０１０４】
ステップＳ３０２５において、ＡＴＣＦは、ＭＳＣサーバ/ＣＳ-ＭＧＷに対して、経路完了通知信号を送信する。
【０１０５】
本実施形態に係る移動通信システムによれば、ＭＳＣサーバ/ＣＳ-ＭＧＷが、「Ｉｎｉｔｉａｔｉｏｎ  ｏｆ  Ｓｅｓｓｉｏｎ  Ｔｒａｎｓｆｅｒ（すなわち、「ＩＮＶＩＴＥ」）を送信してから、所定期間が満了する前に、ＵＥ＃１のＥ-ＵＴＲＡＮからＵＴＲＡＮ/ＧＥＲＡＮへのハンドオーバの完了を検知しなかった場合、ＡＴＧＷが、ＵＥ＃２からＵＥ＃１宛ての音声通信用データ信号の送信宛先をＭＳＣサーバ/ＣＳ-ＭＧＷからＳ/Ｐ-ＧＷに戻すように構成されているため、ＵＥ＃１がハンドオーバ指示信号の受信に失敗した場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合等、ＵＥ＃１をＥ-ＵＴＲＡＮに留まらせることとなる事象が発生した場合であっても通信不可となる事象を回避することができる。
【０１０６】
（変更例１）
以下、上述の第３の実施形態の変更例１に係る移動通信システムについて、上述の第３の実施形態に係る移動通信システムとの相違点に着目して説明する。
【０１０７】
本変更例１に係る移動通信システムでは、ＭＳＣサーバ/ＣＳ-ＭＧＷの代わりに、ＭＳＣが、ＭＳＣサーバ/ＣＳ-ＭＧＷに対して、「Ｅｓｔａｂｌｉｓｈ  ｃｉｒｃｕｉｔ」を送信すると共に、タイマを起動するように構成されている。
【０１０８】
そして、ＭＳＣは、かかるタイマが満了する前に、ＵＥ＃１のＥ-ＵＴＲＡＮからＵＴＲＡＮ/ＧＥＲＡＮへのハンドオーバの完了を検知しなかった場合に、ＭＳＣサーバ/ＣＳ-ＭＧＷに対して、タイマ満了信号を送信するように構成されている。
【０１０９】
ここで、ＭＳＣサーバ/ＣＳ-ＭＧＷは、かかるタイマ満了信号に応じて、ＡＴＣＦに対して、上述の経路復旧指示信号を送信するように構成されている。
【０１１０】
一方、ＭＳＣは、かかるタイマが満了する前に、ＵＥ＃１のＥ-ＵＴＲＡＮからＵＴＲＡＮ/ＧＥＲＡＮへのハンドオーバの完了を検知しなかった場合には、かかるタイマを停止する。
【０１１１】
（変更例２）
以下、上述の第３の実施形態の変更例２に係る移動通信システムについて、上述の第３の実施形態に係る移動通信システムとの相違点に着目して説明する。
【０１１２】
本変更例２に係る移動通信システムでは、ＭＳＣサーバ/ＣＳ-ＭＧＷの代わりに、ＲＮＣが、ＭＳＣに対して、「Ｒｅｌｏｃ/ＨＯ  Ｒｅｑ  Ａｃｋ」を送信すると共に、タイマを起動するように構成されている。
【０１１３】
ここで、ＲＮＣは、かかるタイマが満了する前に、ＵＥ＃１のＥ-ＵＴＲＡＮからＵＴＲＡＮ/ＧＥＲＡＮへのハンドオーバの完了を検知しなかった場合に、ＭＳＣを介して、ＭＳＣサーバ/ＣＳ-ＭＧＷに対して、タイマ満了信号を送信するように構成されている。
【０１１４】
なお、ＭＳＣサーバ/ＣＳ-ＭＧＷは、かかるタイマ満了信号に応じて、ＡＴＣＦに対して、上述の経路復旧指示信号を送信するように構成されている。
【０１１５】
（変更例３）
以下、図１１を参照して、上述の第３の実施形態の変更例３に係る移動通信システムについて、上述の第３の実施形態に係る移動通信システムとの相違点に着目して説明する。
【０１１６】
本変更例３に係る移動通信システムでは、ＭＳＣサーバ/ＣＳ-ＭＧＷが、上述のタイマ制御を行う代わりに、ＵＥ＃１のＥ-ＵＴＲＡＮからＵＴＲＡＮ/ＧＥＲＡＮへのハンドオーバが中断したことを検知した場合に、上述の経路復旧指示信号を送信するように構成されている。
【０１１７】
例えば、ＭＳＣサーバ/ＣＳ-ＭＧＷが、ＲＮＣ或いはＭＳＣによって起動される解放処理を検出することによって、かかるハンドオーバ中断の検出を行ってもよい。
【０１１８】
また、ＭＳＣサーバ/ＣＳ-ＭＧＷは、ＭＭＥによって送信されたハンドオーバキャンセル信号を受信した場合に、ＵＥ＃１のＥ-ＵＴＲＡＮからＵＴＲＡＮ/ＧＥＲＡＮへのハンドオーバが中断したことを検知するように構成されていてもよい。
【０１１９】
具体的には、図１１に示すように、ＵＥ＃１が、ステップ１４において、Ｅ-ＵＴＲＡＮによって送信された「ＨＯ  ｆｒｏｍ  ＥＵＴＲＡＮ  ｃｏｍｍａｎｄ」の受信に失敗した、或いは、「ＨＯ  ｆｒｏｍ  ＥＵＴＲＡＮ  ｃｏｍｍａｎｄ」を受信したが、ＧＥＲＡＮ/ＵＴＲＡＮを介した経路への切り替えに失敗した後、ステップＳ２１０１Ａにおいて、Ｅ-ＵＴＲＡＮに対するＡＳレイヤでの再接続に成功すると、Ｅ-ＵＴＲＡＮは、ステップＳ２１０２Ａにおいて、ＭＭＥに対して、接続/復旧通知信号を送信する。
【０１２０】
一方、図１１に示すように、ＵＥ＃１は、ステップ１４において、Ｅ-ＵＴＲＡＮによって送信された「ＨＯ  ｆｒｏｍ  ＥＵＴＲＡＮ  ｃｏｍｍａｎｄ」の受信に失敗した、或いは、「ＨＯ  ｆｒｏｍ  ＥＵＴＲＡＮ  ｃｏｍｍａｎｄ」を受信したが、ＧＥＲＡＮ/ＵＴＲＡＮを介した経路への切り替えに失敗した後、Ｅ-ＵＴＲＡＮに対するＡＳレイヤでの再接続に失敗すると、ステップＳ２１０１Ｂにおいて、ＭＭＥに対して、「Ｓｅｒｖｉｃｅ  Ｒｅｑｕｅｓｔ」或いは「ＴＡ  Ｕｐｄａｔｅ」等のＮＡＳ信号を送信する、すなわち、ＭＭＥとの間で、ＮＡＳレイヤでの再接続を行う。
【０１２１】
ＭＭＥは、上述の接続/復旧通知信号又はＮＡＳ信号を受信すると、ステップＳ２１０３において、ＭＳＣサーバ/ＣＳ-ＭＧＷに対して、ハンドオーバキャンセル信号（「ＰＳ  ｔｏ  ＣＳ  Ｃａｎｃｅｌ  Ｎｏｔｉｆｉｃａｔｉｏｎ」）を送信する。
【０１２２】
ＭＳＣサーバ/ＣＳ-ＭＧＷが、かかるハンドオーバキャンセル信号を受信すると、図１０におけるステップＳ３０２２乃至Ｓ３０２５の動作が行われる。
【０１２３】
また、ＭＳＣサーバ/ＣＳ-ＭＧＷは、かかるハンドオーバキャンセル信号を受信すると、ステップＳ２１０４において、ＭＭＥに対して、ハンドオーバキャンセルＡｃｋ信号（「ＰＳ  ｔｏ  ＣＳ  Ｃａｎｃｅｌ  Ｎｏｔｉｆｉｃａｔｉｏｎ  Ａｃｋ」）を送信する。
【０１２４】
ＭＭＥは、ハンドオーバキャンセルＡｃｋ信号を受信すると、ＵＥ＃１に対して、「Ｓｅｓｓｉｏｎ  Ｒｅｅｓｔａｂｌｉｓｈｍｅｎｔ  ｔｒｉｇｇｅｒ  ｎｏｔｉｆｉｃａｔｉｏｎ」を送信する。
【０１２５】
ここで、ＭＭＥは、ステップＳ２１０５において、ハンドオーバキャンセルＡｃｋ信号を受信した場合に、ＵＥ＃１の能力（例えば、「Ｓｅｓｓｉｏｎ  Ｒｅｅｓｔａｂｌｉｓｈｍｅｎｔ  ｔｒｉｇｇｅｒ  ｎｏｔｉｆｉｃａｔｉｏｎ」のサポートの有無等）や、ＳＲＶＣＣ改善方式の実施の有無や、ハンドオーバキャンセルＡｃｋ信号に含まれる「Ｃａｕｓｅ値」や、ＭＭＥが再接続を検出した理由（例えば、ＡＳレイヤでの再接続或いはＮＡＳレイヤでの再接続）や、再接続前に接続していたＭＭＥから受信したハンドオーバ状態等に基づいて、ＵＥ＃１に対して、「Ｓｅｓｓｉｏｎ  Ｒｅｅｓｔａｂｌｉｓｈｍｅｎｔ  ｔｒｉｇｇｅｒ  ｎｏｔｉｆｉｃａｔｉｏｎ」を送信するか否かについて判断してもよい。
【０１２６】
（本発明の第４の実施形態）
以下、図１２及び図１３を参照して、本発明の第４の実施形態に係る移動通信システムについて、上述の第２の実施形態に係る移動通信システムとの相違点に着目して説明する。
【０１２７】
図１２に示すように、本実施形態に係る移動通信システムは、図１に示す構成に加えて、ＩＢＣＦ（Ｉｎｔｅｒｃｏｎｎｅｃｔｉｏｎ  Ｂｏｒｄｅｒ  Ｃｏｎｔｒｏｌ  Ｆｕｎｃｔｉｏｎ）及びＡＴＣＦを具備している。なお、本実施形態に係る移動通信システムは、ＩＢＣＦ及びＡＴＣＦを具備していなくてもよい。
【０１２８】
本実施形態に係る移動通信システムでは、３ＧＰＰ  ＴＲ２３.８５６  ｖ０.４.１のＡｌｔ.１０やＡｌｔ.１２等に規定されているＳＲＶＣＣ改善方式によって、ＵＥ＃１とＵＥ＃２との間の音声通信用の経路を、Ｅ-ＵＴＲＡＮ或いはＵＴＲＡＮを介した経路（ＩＭＳ  ＶｏＩＰ通信用の経路）からＵＴＲＡＮ/ＧＥＲＡＮを介した経路（回線交換通信用の経路）に切り替えることができる。
【０１２９】
図１３に示すように、ＭＭＥは、ステップＳ４０００Ｂにおいて、Ｓ/Ｐ-ＧＷに対して、経路切替信号を送信し、ステップＳ４００１において、タイマを起動する。
【０１３０】
ここで、Ｓ/Ｐ-ＧＷが、経路切替信号に基づいて、ＵＥ＃２からＵＥ＃１宛ての音声通信用データ信号の送信宛先をＳ/Ｐ-ＧＷからＭＳＣサーバ/ＣＳ-ＭＧＷに切り替えるように構成されている。
【０１３１】
なお、ＭＭＥは、タイマが満了する前に、ＵＥ＃１のＥ-ＵＴＲＡＮからＵＴＲＡＮ/ＧＥＲＡＮへのハンドオーバの完了を検知した場合に、すなわち、ＭＳＣから「ＳＥＳ（ＨＯ  Ｃｏｍｐｌｅｔｅ）」或いは「ＡＮＳＷＥＲ」を受信した場合、タイマを停止するように構成されている。
【０１３２】
一方、ＭＭＥは、タイマが満了する前に、ＵＥ＃１のＥ-ＵＴＲＡＮからＵＴＲＡＮ/ＧＥＲＡＮへのハンドオーバの完了を検知しなかった場合に、すなわち、ＭＳＣから「ＳＥＳ（ＨＯ  Ｃｏｍｐｌｅｔｅ）」或いは「ＡＮＳＷＥＲ」を受信しなかった場合、Ｓ/Ｐ-ＧＷに対して、経路復旧指示信号を送信するように構成されている。
【０１３３】
かかる経路復旧指示信号は、ＵＥ＃１の移動局識別情報や切り替え前の音声ベアラ情報等から構成されていてもよい。或いは、切り替え前の音声ベアラ情報についてはＰ-ＧＷにおいて保持されていてもよい。
【０１３４】
ここで、Ｓ/Ｐ-ＧＷは、かかる経路復旧指示信号に応じて、ＵＥ＃２からＵＥ＃１宛ての音声通信用データ信号の送信宛先をＭＳＣサーバ/ＣＳ-ＭＧＷからＳ/Ｐ-ＧＷに切り替えるように構成されている。
【０１３５】
本実施形態に係る移動通信システムによれば、ＭＭＥが、経路切替信号を送信してから、所定期間が満了する前に、ＵＥ＃１のＥ-ＵＴＲＡＮからＵＴＲＡＮ/ＧＥＲＡＮへのハンドオーバの完了を検知しなかった場合、Ｓ/Ｐ-ＧＷが、ＵＥ＃２からＵＥ＃１宛ての音声通信用データ信号の送信宛先をＭＳＣサーバ/ＣＳ-ＭＧＷからＳ/Ｐ-ＧＷに戻すように構成されているため、ＵＥ＃１がハンドオーバ指示信号の受信に失敗した場合、或いは、Ｅ-ＵＴＲＡＮが、無線状況等を考慮して「ＨＯ  ｆｒｏｍ  ＥＵＴＲＡＮ  ｃｏｍｍａｎｄ（ハンドオーバ指示信号）」の送信を実施しない場合等、ＵＥ＃１をＥ−ＵＴＲＡＮに留まらせることとなる事象が発生した場合であっても通信不可となる事象を回避することができる。
【０１３６】
以上に述べた本実施形態の特徴は、以下のように表現されていてもよい。
【０１３７】
本実施形態の第１の特徴は、ＵＥ＃１（第１移動局）とＵＥ＃２（第２移動局）との間の音声通信用データ信号の経路を、Ｅ-ＵＴＲＡＮ（回線交換通信をサポートしていない第１無線アクセスネットワーク）を介した経路から、ＵＴＲＡＮ/ＧＥＲＡＮ（回線交換通信をサポートしている第２無線アクセスネットワーク）を介した経路に切り替える移動通信方法であって、ＵＴＲＡＮ/ＧＥＲＡＮ用のＭＳＣサーバ/ＣＳ-ＭＧＷ（所定サーバ）が、経路切替信号を送信すると共に、タイマを起動する工程と、ＵＥ＃２が、経路切替信号に基づいて、ＵＥ＃１宛ての音声通信用データ信号の送信宛先を、Ｅ-ＵＴＲＡＮに接続されているＳ/Ｐ-ＧＷ（ゲートウェイ装置）からＭＳＣサーバ/ＣＳ-ＭＧＷに切り替える工程と、ＭＳＣサーバ/ＣＳ-ＭＧＷが、タイマが満了する前に、ＵＥ＃１のＥ-ＵＴＲＡＮからＵＴＲＡＮ/ＧＥＲＡＮへのハンドオーバの完了を検知しなかった場合に、経路復旧指示信号を送信する工程と、ＵＥ＃２が、経路復旧指示信号に応じて、ＵＥ＃１宛ての音声通信用データ信号の送信宛先を、ＭＳＣサーバ/ＣＳ-ＭＧＷからＳ/Ｐ-ＧＷに切り替える工程とを有することを要旨とする。
【０１３８】
本実施形態の第２の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＵＴＲＡＮ/ＧＥＲＡＮに接続されているＭＳＣが、「Ｅｓｔａｂｌｉｓｈ  ｃｉｒｃｕｉｔ（回線設定信号）」を送信すると共に、タイマを起動する工程と、ＭＳＣサーバ/ＣＳ-ＭＧＷが、「Ｅｓｔａｂｌｉｓｈ  ｃｉｒｃｕｉｔ」に応じて、経路切替信号を送信する工程と、ＵＥ＃２が、経路切替信号に基づいて、ＵＥ＃１宛ての音声通信用データ信号の送信宛先をＳ/Ｐ-ＧＷからＭＳＣサーバ/ＣＳ-ＭＧＷに切り替える工程と、ＭＳＣが、タイマが満了する前に、ＵＥ＃１のＥ-ＵＴＲＡＮからＵＴＲＡＮ/ＧＥＲＡＮへのハンドオーバの完了を検知しなかった場合に、タイマ満了信号を送信する工程と、ＭＳＣサーバ/ＣＳ-ＭＧＷが、タイマ満了信号に応じて、経路復旧指示信号を送信する工程と、ＵＥ＃２が、経路復旧指示信号に応じて、ＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１３９】
本実施形態の第３の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＵＴＲＡＮ/ＧＥＲＡＮ内のＲＮＣ（制御装置）が、「Ｒｅｌｏｃ/ＨＯ  Ｒｅｑ  Ａｃｋ（ハンドオーバ準備完了信号）」を送信すると共に、タイマを起動する工程と、ＭＳＣが、「Ｒｅｌｏｃ/ＨＯ  Ｒｅｑ  Ａｃｋ」を受信した後、「Ｅｓｔａｂｌｉｓｈ  ｃｉｒｃｕｉｔ」を送信する工程と、ＭＳＣサーバ/ＣＳ-ＭＧＷが、「Ｅｓｔａｂｌｉｓｈ  ｃｉｒｃｕｉｔ」に応じて、経路切替信号を送信する工程と、ＵＥ＃２が、経路切替信号に基づいて、ＵＥ＃１宛ての音声通信用データ信号の送信宛先をＳ/Ｐ-ＧＷからＭＳＣサーバ/ＣＳ-ＭＧＷに切り替える工程と、ＲＮＣが、タイマが満了する前に、ＵＥ＃１のＥ-ＵＴＲＡＮからＵＴＲＡＮ/ＧＥＲＡＮへのハンドオーバの完了を検知しなかった場合に、タイマ満了信号を送信する工程と、ＭＳＣサーバ/ＣＳ-ＭＧＷが、タイマ満了信号に応じて、経路復旧指示信号を送信する工程と、ＵＥ＃２が、経路復旧指示信号に応じて、ＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１４０】
本実施形態の第４の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＭＳＣサーバ/ＣＳ-ＭＧＷが、経路切替信号を送信する工程と、ＵＥ＃２が、経路切替信号に基づいて、ＵＥ＃１宛ての音声通信用データ信号の送信宛先をＳ/Ｐ-ＧＷからＭＳＣサーバ/ＣＳ-ＭＧＷに切り替える工程と、ＭＳＣサーバ/ＣＳ-ＭＧＷが、ＵＥ＃１のＥ-ＵＴＲＡＮからＵＴＲＡＮ/ＧＥＲＡＮへのハンドオーバが中断したことを検知した場合に、経路復旧指示信号を送信する工程と、ＵＥ＃２が、経路復旧指示信号に応じて、ＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１４１】
本実施形態の第５の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＭＳＣサーバ/ＣＳ-ＭＧＷが、経路切替信号を送信する工程と、ＡＴＧＷ（経路切替装置）が、経路切替信号に基づいて、ＵＥ＃２からＵＥ＃１宛ての音声通信用データ信号の送信宛先をＳ/Ｐ-ＧＷからＭＳＣサーバ/ＣＳ-ＭＧＷに切り替えると共に、タイマを起動する工程と、ＡＴＧＷが、タイマが満了する前に、音声通信用データ信号の経路のＥ-ＵＴＲＡＮを介した経路からＵＴＲＡＮ/ＧＥＲＡＮを介した経路への切り替えの完了を検知しなかった場合に、ＵＥ＃２からＵＥ＃１宛ての音声通信用データ信号の送信宛先をＳ/Ｐ-ＧＷからＭＳＣサーバ/ＣＳ-ＭＧＷに切り替える工程とを有することを要旨とする。
【０１４２】
本実施形態の第６の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＭＳＣサーバ/ＣＳ-ＭＧＷが、経路切替信号を送信すると共に、タイマを起動する工程と、ＡＴＧＷが、経路切替信号に基づいて、ＵＥ＃２からＵＥ＃１宛ての音声通信用データ信号の送信宛先をＳ/Ｐ-ＧＷからＭＳＣサーバ/ＣＳ-ＭＧＷに切り替える工程と、ＭＳＣサーバ/ＣＳ-ＭＧＷが、タイマが満了する前に、ＵＥ＃１のＥ-ＵＴＲＡＮからＵＴＲＡＮ/ＧＥＲＡＮへのハンドオーバの完了を検知しなかった場合に、経路復旧指示信号を送信する工程と、ＡＴＧＷが、経路復旧指示信号に応じて、ＵＥ＃２からＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１４３】
本実施形態の第７の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＭＳＣが、「Ｅｓｔａｂｌｉｓｈ  ｃｉｒｃｕｉｔ」を送信すると共に、タイマを起動する工程と、ＭＳＣサーバ/ＣＳ-ＭＧＷが、「Ｅｓｔａｂｌｉｓｈ  ｃｉｒｃｕｉｔ」に応じて、経路切替信号を送信する工程と、ＡＴＧＷが、経路切替信号に基づいて、ＵＥ＃２からＵＥ＃１宛ての音声通信用データ信号の送信宛先をＳ/Ｐ-ＧＷからＭＳＣサーバ/ＣＳ-ＭＧＷに切り替える工程と、ＭＳＣが、タイマが満了する前に、ＵＥ＃１のＥ-ＵＴＲＡＮからＵＴＲＡＮ/ＧＥＲＡＮへのハンドオーバの完了を検知しなかった場合に、経路復旧指示信号を送信する工程と、ＡＴＧＷが、経路復旧指示信号に応じて、ＵＥ＃２からＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１４４】
本実施形態の第８の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＲＮＣが、「Ｒｅｌｏｃ/ＨＯ  Ｒｅｑ  Ａｃｋ」を送信すると共に、タイマを起動する工程と、ＭＳＣが、「Ｒｅｌｏｃ/ＨＯ  Ｒｅｑ  Ａｃｋ」を受信した後に、「Ｅｓｔａｂｌｉｓｈ  ｃｉｒｃｕｉｔ」を送信する工程と、ＭＳＣサーバ/ＣＳ-ＭＧＷが、「Ｅｓｔａｂｌｉｓｈ  ｃｉｒｃｕｉｔ」に応じて、経路切替信号を送信する工程と、ＡＴＧＷが、経路切替信号に基づいて、ＵＥ＃２からＵＥ＃１宛ての音声通信用データ信号の送信宛先をＳ/Ｐ-ＧＷからＭＳＣサーバ/ＣＳ-ＭＧＷに切り替える工程と、ＲＮＣが、タイマが満了する前に、ＵＥ＃１のＥ-ＵＴＲＡＮからＵＴＲＡＮ/ＧＥＲＡＮへのハンドオーバの完了を検知しなかった場合に、経路復旧指示信号を送信する工程と、ＡＴＧＷが、経路復旧指示信号に応じて、ＵＥ＃２からＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１４５】
本実施形態の第９の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、ＭＳＣサーバ/ＣＳ-ＭＧＷが、経路切替信号を送信する工程と、ＡＴＧＷが、経路切替信号に基づいて、ＵＥ＃２からＵＥ＃１宛ての音声通信用データ信号の送信宛先をＳ/Ｐ-ＧＷからＭＳＣサーバ/ＣＳ-ＭＧＷに切り替える工程と、ＭＳＣサーバ/ＣＳ-ＭＧＷが、ＵＥ＃１のＥ-ＵＴＲＡＮからＵＴＲＡＮ/ＧＥＲＡＮへのハンドオーバが中断したことを検知した場合に、経路復旧指示信号を送信する工程と、ＡＴＧＷが、経路復旧指示信号に応じて、ＵＥ＃２からＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１４６】
本実施形態の第１０の特徴は、ＵＥ＃１とＵＥ＃２との間の音声通信用データ信号の経路を、Ｅ-ＵＴＲＡＮを介した経路からＵＴＲＡＮ/ＧＥＲＡＮを介した経路に切り替える移動通信方法であって、Ｅ-ＵＴＲＡＮに接続されているＭＭＥ（移動管理ノード）が、経路切替信号を送信すると共に、タイマを起動する工程と、Ｓ/Ｐ-ＧＷが、経路切替信号に基づいて、ＵＥ＃２からＵＥ＃１宛ての音声通信用データ信号の送信宛先をＳ/Ｐ-ＧＷからＭＳＣサーバ/ＣＳ-ＭＧＷに切り替える工程と、ＭＭＥが、タイマが満了する前に、ＵＥ＃１のＥ-ＵＴＲＡＮからＵＴＲＡＮ/ＧＥＲＡＮへのハンドオーバの完了を検知しなかった場合に、経路復旧指示信号を送信する工程と、Ｓ/Ｐ-ＧＷが、経路復旧指示信号に応じて、ＵＥ＃２からＵＥ＃１宛ての音声通信用データ信号の送信宛先をＭＳＣサーバ/ＣＳ-ＭＧＷからＳ/Ｐ-ＧＷに切り替える工程とを有することを要旨とする。
【０１４７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４８】
ＵＥ＃１、ＵＥ＃２…移動局
ＭＭＥ…移動管理ノード
ＳＧＳＮ…パケット交換機
ＭＳＣ…回線交換機
Ｓ/Ｐ-ＧＷ…ゲートウェイ装置
ＲＮＣ…制御装置
Ｅ-ＵＴＲＡＮ、Ｕ-ＴＲＡＮ/ＧＥＲＡＮ…無線アクセスネットワーク
【図１】
0005560120.tif 000002
【図２】
0005560120.tif 000003
【図３】
0005560120.tif 000004
【図４】
0005560120.tif 000005
【図５】
0005560120.tif 000006
【図６】
0005560120.tif 000007
【図７】
0005560120.tif 000008
【図８】
0005560120.tif 000009
【図９】
0005560120.tif 000010
【図１０】
0005560120.tif 000011
【図１１】
0005560120.tif 000012
【図１２】
0005560120.tif 000013
【図１３】
0005560120.tif 000014
【図１４】
0005560120.tif 000015
【図１５】
0005560120.tif 000016
【図１６】
0005560120.tif 000017
【図１７】
0005560120.tif 000018
【図１８】
0005560120.tif 000019
【図１９】
0005560120.tif 000020